(57)【要約】【課題】この発明は、オペレータによる作業負担を軽減できるＩＤカード処理装置、およびＩＤカード処理システムを提供することを課題とする。【解決手段】ＩＤカード処理システム１は、ホスト機２とカード処理機４を有する。ＩＤカードに記憶したＩＤデータを変更する場合、オペレータが入力部１１を介して変更内容を入力し、データベース１３に記憶する。そして、取出部２１を介して当該ＩＤカードを取り出して搬送し、カードＲ／Ｗ部２２でＩＤデータを読み取る。このとき、読取結果に基づいてデータベース１３を検索し、当該ＩＤカードに新たなＩＤデータを記憶する。この後、印字部２４を介して当該ＩＤカードの裏面に変更情報が印字される。【選択図】    図１
2004355119.tif 000002
【特許請求の範囲】
【請求項１】
個人情報を記憶したＩＣチップを内蔵したＩＤカードを取り出す取出部と、
取り出された上記ＩＤカードから個人情報を読み取る読取部と、
読み取った個人情報の書き替えが必要か否かを判断する判断部と、
書き替えが必要と判断された個人情報を書き替える書替部と、
個人情報の書き替えに際し変更した変更情報をＩＤカードに印刷する印刷部と、
を備えていることを特徴とするＩＤカード処理装置。
【請求項２】
上記書替部で個人情報が書き替えられて上記印刷部で変更情報が印刷されたＩＤカードを集積する集積部をさらに備えていることを特徴とする請求項１に記載のＩＤカード処理装置。
【請求項３】
上記判断部で個人情報の書き替えが不必要であることが判断されたＩＤカードを、上記書替部および印刷部を通過させて排除する制御部をさらに備えていることを特徴とする請求項２に記載のＩＤカード処理装置。
【請求項４】
上記集積部は、上記排除されたＩＤカードを集積する排除集積部を有することを特徴とする請求項３に記載のＩＤカード処理装置。
【請求項５】
ＩＤカードに内蔵されたＩＣチップに記憶された個人情報の変更入力を受け付ける入力部と、この入力部を介して変更された個人情報を当該ＩＤカードに関連付けて記憶する記憶部と、を備えたホスト機と、
上記入力部を介して個人情報の変更入力を受け付けたＩＤカードを取り出す取り出し部と、取り出されたＩＤカードから変更前の個人情報を読み取る読取部と、読み取った個人情報に基づいて上記ホスト機と交信して当該ＩＤカードが個人情報の変更入力を受け付けたカードであるか否かを判断する判断部と、変更入力を受け付けたと判断されたＩＤカードの個人情報を当該ＩＤカードに関連付けて上記記憶部に記憶した個人情報に書き替える書替部と、個人情報の書き替えに際し変更した変更情報を当該ＩＤカードに印刷する印刷部と、を備えたＩＤカード処理装置と、
を備えていることを特徴とするＩＤカード処理システム。
【請求項６】
上記ＩＤカード処理装置は、上記書替部で個人情報が書き替えられて上記印刷部で変更情報が印刷されたＩＤカードを集積する集積部をさらに備えていることを特徴とする請求項５に記載のＩＤカード処理システム。
【請求項７】
上記ＩＤカード処理装置は、上記判断部で個人情報の変更入力を受け付けたカードではないことが判断されたＩＤカードを、上記書替部および印刷部を通過させて排除する制御部をさらに備えていることを特徴とする請求項６に記載のＩＤカード処理システム。
【請求項８】
上記集積部は、上記排除されたＩＤカードを集積する排除集積部を有することを特徴とする請求項７に記載のＩＤカード処理システム。
【発明の詳細な説明】
【０００１】
【発明の属する技術分野】
この発明は、ＩＣチップを内蔵したＩＤカードを処理するＩＤカード処理装置、およびＩＤカード処理システムに関する。
【０００２】
【従来の技術】
従来、ＩＤカード処理装置として、ＩＤカードに内蔵されたＩＣチップに個人情報（ＩＤデータ）を書き込むとともに、カード表面に当該個人情報に対応した文字や画像を印刷する装置が知られている（例えば、特許文献１参照。）。
【０００３】
【特許文献１】
特開２００３−９９７１８号公報（要約、図２）
【０００４】
【発明が解決しようとする課題】
しかし、個人情報のうち例えば住所が変更された場合、ＩＣチップのＩＤデータを書き替えるとともに、ＩＤカード裏面に手書あるいはスタンプにより変更内容を記載していた。このため、カード裏面の記載方法が統一されておらず、記載内容が読み辛く、また、変更した情報を記載するための作業が煩雑であった。
【０００５】
この発明は、以上の点に鑑みなされたもので、その目的は、オペレータによる作業負担を軽減できるＩＤカード処理装置、およびＩＤカード処理システムを提供することにある。
【０００６】
【課題を解決するための手段】
上記目的を達成するため、本発明のＩＤカード処理装置は、個人情報を記憶したＩＣチップを内蔵したＩＤカードを取り出す取出部と、取り出された上記ＩＤカードから個人情報を読み取る読取部と、読み取った個人情報の書き替えが必要か否かを判断する判断部と、書き替えが必要と判断された個人情報を書き替える書替部と、個人情報の書き替えに際し変更した変更情報をＩＤカードに印刷する印刷部と、を備えている。
【０００７】
また、本発明のＩＤカード処理システムは、ＩＤカードに内蔵されたＩＣチップに記憶された個人情報の変更入力を受け付ける入力部と、この入力部を介して変更された個人情報を当該ＩＤカードに関連付けて記憶する記憶部と、を備えたホスト機と、上記入力部を介して個人情報の変更入力を受け付けたＩＤカードを取り出す取り出し部と、取り出されたＩＤカードから変更前の個人情報を読み取る読取部と、読み取った個人情報に基づいて上記ホスト機と交信して当該ＩＤカードが個人情報の変更入力を受け付けたカードであるか否かを判断する判断部と、変更入力を受け付けたと判断されたＩＤカードの個人情報を当該ＩＤカードに関連付けて上記記憶部に記憶した個人情報に書き替える書替部と、個人情報の書き替えに際し変更した変更情報を当該ＩＤカードに印刷する印刷部と、を備えたＩＤカード処理装置と、を備えている。
【０００８】
上記発明によると、ＩＤカードに内蔵されたＩＣチップに記憶された個人情報に変更が生じて書き替えた際に、その変更情報をＩＤカードに印刷するようにした。これにより、従来のように、変更内容を手書或いはスタンプにより記載する必要がなくなり、オペレータによる作業負担を軽減できる。
【０００９】
【発明の実施の形態】
以下、図面を参照しながらこの発明の実施の形態について詳細に説明する。
【００１０】
図１には、この発明の実施の形態に係るＩＤカード処理システム１（以下、単にシステム１と称する）の概略構造をブロック図にして示してある。システム１は、ホスト機２とカード処理機４（ＩＤカード処理装置）を有する。
【００１１】
ホスト機２は、システム１全体の動作を制御する制御部１０を有する。制御部１０には、オペレータによる各種操作入力を受け付ける入力部１１、オペレータに対する各種操作案内を表示する表示部１２、入力部１１を介して変更入力を受け付けたＩＤデータ（個人情報）を記憶するデータベース１３（記憶部）、および制御プログラムを格納したメモリ１４が接続されている。
【００１２】
カード処理機４は、ホスト機２の制御部１０にラン接続された制御部２０（判断部、制御部）を有する。また、カード処理機４は、取出部２１、カードＲ／Ｗ部２２（読取部、書替部）、印画部２３、印字部２４（印刷部）、保護膜転写部２５、集積部２６、およびカード搬送部２７を有する。
【００１３】
取出部２１は、図示しない脱着可能なカセットを有し、このカセット内に処理対象となる複数枚のＩＤカードを集積している。取出部２１は、制御部１０からのコマンドに応じてカセット内に集積されたＩＤカードを１枚ずつ搬送路２８上に取り出す。
【００１４】
カードＲ／Ｗ部２２は、搬送路２８上に取り出されたＩＤカードに内蔵されたＩＣチップに記憶されているＩＤデータを読み取る機能と、必要に応じてＩＣチップにＩＤデータを書き込む（書き替える）機能と、を有する。ＩＤデータには、当該ＩＤカードを所有するユーザの住所、氏名等の文字情報の他に、当該ユーザの少なくとも顔を含む画像（以下、顔画像という）に関する情報が含まれる。
【００１５】
印画部２３は、搬送路２８を介して搬送されたＩＤカードの表面に当該ユーザの顔画像を印画する。印字部２４は、ＩＤカード表面にＩＤデータの文字情報を印字する機能と、ＩＤカード裏面に変更情報を印字する機能と、を有する。保護膜転写部２５は、印画部２３で顔画像が印画されて印字部で文字情報が印字されたＩＤカード表面に保護膜を形成する。
【００１６】
集積部２６は、カードＲ／Ｗ部２２でＩＤデータが記憶されて（書き替えられて）印字部２４で文字情報（変更情報）が印字されたＩＤカードを集積する。また、集積部２６は、排除すべきＩＤカードを集積する図示しないリジェクトスタッカ（排除集積部）を有する。
【００１７】
カード搬送部２７は、搬送路２８を介して、取出部２１で取り出されたＩＤカードを、カードＲ／Ｗ部２２、印画部２３、印字部２４、および保護膜転写部２５を通過させて、集積部２６まで搬送する。
【００１８】
上記システム１で顔写真付ＩＤカードを作成する場合、まず、ホスト機２の入力部１１を介してＩＤカードの作成を希望するユーザの住所や氏名などの個人情報が入力され、図示しない撮影機を介してユーザの少なくとも顔を含む大きさの写真が撮影される。このようにして取得された個人情報および顔画像に関するデータを含むＩＤデータは、データベースに格納される。
【００１９】
そして、ＩＣチップを内蔵したＩＤカードが取出部２１を介して搬送路２８上に取り出されて、当該ユーザのＩＤデータがデータベース１３から読み出され、カードＲ／Ｗ部２２を介してＩＣチップにＩＤデータが記憶される。
【００２０】
また、データベース１３から読み出されたＩＤデータに基づいて、印画部２３を介してカード表面に当該ユーザの顔画像がカラー印刷され、印字部２４を介してカード表面の所定欄に当該ユーザの個人情報が印字される。
【００２１】
さらに、保護膜転写部２５を介してカード表面に保護膜が形成され、当該ユーザのＩＤカードが集積部２６に集積される。
【００２２】
次に、ＩＤデータに変更が生じた場合におけるシステム１の動作について、図２に示すフローチャートを参照して説明する。
【００２３】
本実施の形態によると、ユーザが所持しているＩＤカードに記憶されているＩＤデータのうち例えばユーザの住所に変更が生じた場合、当該ＩＤカードのＩＣチップに記憶されているＩＤデータが書き替えられるとともに、書き替えに際して変更した変更情報がＩＤカードの裏面に印刷される。
【００２４】
まず、ＩＤデータの書き替えを希望するＩＤカードがユーザからシステム１のオペレータに渡されて、ＩＤデータの変更申請がなされる。オペレータは、この変更申請に基づいて、ホスト機２の入力部１１を介して、個人情報の変更内容を入力する。変更された住所等の個人情報は、当該ＩＤカードに関連付けて新たなＩＤデータとしてデータベース１３に格納される。一方、オペレータがユーザから受け取ったＩＤカードは、図示しないカセット内に裏面を上にして集積され、カセットごとカード処理機２の取出部２１にセットされる。
【００２５】
そして、取出部２１を介して当該ＩＤカードが搬送路２８上に取り出され（ステップ１）、カード搬送部２７にて搬送される。ＩＤカードが搬送路２８を介して搬送されてカードＲ／Ｗ部２２を通過されると、ＩＤカードのＩＣチップに記憶されている変更前のＩＤデータが読み取られる（ステップ２）。
【００２６】
このとき、カード処理機４の制御部２０とホスト機２の制御部１０が交信され、ステップ２でＩＤカードから読み取った変更前のＩＤデータに基づいて、ホスト機２のデータベース１３から、該当する新たなＩＤデータが検索される。
【００２７】
検索の結果、該当する新たなＩＤデータがデータベース１３に存在した場合、当該ＩＤカードがＩＤデータの変更入力を受け付けたカードであることが判断され、当該ＩＤカードに対する記載内容の変更有りが判断される（ステップ３；ＹＥＳ）。一方、検索の結果、該当する新たなＩＤデータがデータベースに存在しない場合、当該ＩＤカードがＩＤデータの変更入力を受け付けたカードではないことが判断され、当該ＩＤカードに対する記載内容の変更無しが判断される（ステップ３；ＮＯ）。
【００２８】
ステップ３で記載内容の変更無しが判断されると（ステップ３；ＮＯ）、当該ＩＤカードが間違って投入されたことが判断され、カードＲ／Ｗ部２２を通過された当該ＩＤカードがそのまま印画部２３、印字部２４、保護膜転写部２５を通過されて（ステップ４）集積部２６のリジェクトスタッカに集積される（ステップ５）。
【００２９】
一方、ステップ３で記載内容の変更有りが判断されると（ステップ３；ＹＥＳ）、カードＲ／Ｗ部２２を介して、新たなＩＤデータが当該ＩＤカードのＩＣチップに書き替え記憶され（ステップ６）、同時に記憶内容がベリファイリードされる。
【００３０】
そして、ＩＣチップに新たなＩＤデータが書き替えられたＩＤカードは、印画部２３を通過され（ステップ７）、印字部２４を介して新たなＩＤデータに対応する変更情報が当該ＩＤカードの裏面に印字される（ステップ８）。カード裏面に印字する変更情報は、ＩＤデータの書き替えに際し変更した情報となる。例えば、住所を変更した場合、変更後の住所がＩＤカードの裏面に印字されることになる。
【００３１】
このようにして、ＩＣチップに変更後の新たなＩＤデータが記憶され且つカード裏面に変更情報が印字されたＩＤカードは、集積部２６に集積され（ステップ５）た後、ユーザに返却される。
【００３２】
以上のように、本実施の形態によると、ＩＣチップに記憶したＩＤデータ内容に変更の必要が生じた場合、カード処理機４に受け入れたＩＤカードを自動的に処理し、ＩＣチップに記憶されたＩＤデータを書き替えるとともに、カード裏面に変更情報を印字することができる。このため、従来のように、個人情報に変更を生じた場合、手書或いはスタンプにより変更情報を記載する必要がなく、統一した書式で必要な情報を確実且つ見易く記載でき、オペレータによる作業負担を軽減できる。
【００３３】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３４】
【発明の効果】
以上説明したように、この発明のＩＤカード処理装置、およびＩＤカード処理システムは、上記のような構成および作用を有しているので、オペレータによる作業負担を軽減できる。
【図面の簡単な説明】
【図１】この発明の実施の形態に係るＩＤカード処理システムの概略構造を示すブロック図。
【図２】図１のシステムによる動作を説明するためのフローチャート。
【符号の説明】
１…ＩＤカード処理システム、２…ホスト機、４…カード処理機、１０、２０…制御部、１１…入力部、１２…表示部、１３…データベース、１４…メモリ、２１…取出部、２２…カードＲ／Ｗ部、２３…印画部、２４…印字部、２５…保護膜転写部、２６…集積部、２７…カード搬送部、２８…搬送路。
【図１】
2004355119.tif 000003
【図２】
2004355119.tif 000004